(57)【要約】【課題】  物品を梱包する梱包部材において、梱包部材を容易に保管することができると共に、万一、物品を搬送する必要がある場合でも物品が破損してしまうことを防止することができる梱包部材を提供する。【解決手段】  段ボール板を折り曲げることによって直方体に形成された段ボール部と、直方体を形成し一側面に前記物品の側面と嵌合する凹部を有し前記物品の両側面に嵌合された状態で前記物品と共に前記段ボール部に収納される２つの弾性体とを備え、前記弾性体は、前記凹部の隅部分を含む四隅部分に水平方向及び垂直方向の直角を成す切り欠きを備える。【選択図】      図１
2008254744.tif 000002
【特許請求の範囲】
【請求項１】
物品を梱包する梱包部材において、
段ボール板を折り曲げることによって直方体に形成された段ボール部と、
直方体を形成し一側面に前記物品の側面と嵌合する凹部を有し前記物品の両側面に嵌合された状態で前記物品と共に前記段ボール部に収納される２つの弾性体とを備え、
前記弾性体は、前記凹部の隅部分を含む四隅部分に水平方向及び垂直方向の直角を成す切り欠きを備えることを特徴とする梱包部材。
【発明の詳細な説明】
【技術分野】
【０００１】
本発明は、物品を梱包する梱包部材に関する。
【背景技術】
【０００２】
従来、光ディスク再生装置や音声信号増幅装置等の装置を輸送する場合、装置に加わる外部からの衝撃を緩和するための衝撃緩衝用の梱包部材が広く使われている（例えば、特許文献１参照）。
図５は、従来の梱包部材と梱包される物品の一例を示す斜視図である。梱包部材１００は、２つの弾性体５ａ及び５ｂ及び段ボール部２００を備える。
図５においては、矢印Ａ方向を梱包部材の前方とする。
【０００３】
図５に示すように、段ボール部２００は、段ボール板から成る上面が開口した直方体の箱で、直方体の前面、後面、右側面及び左側面（４側面）を形成する４つの側面板３００ａ〜３００ｄを備え、前面の側面板３００ｃ及び後面の側面板３００ａの上端辺には、それぞれの上端辺を軸に折り曲げることができる内フラップ３２０ａ及び３２０ｂを備え、右側面の側面板３００ｂ及び左側面の側面板３００ｄの上端辺にはそれぞれの上端辺を軸に折り曲げることができる外フラップ３１０ａ及び３１０ｂを備える。左右それぞれの外フラップ３１０ａ、３１０ｂは、双方を内側に略直角に折り曲げると、互いに当接又は近接し段ボール部２００の上面を閉じる。
【０００４】
弾性体５ａ及び５ｂは、直方体を形成する発泡スチロール材から成り、一側面にそれぞれ凹部５０ａ及び５０ｂを備える。凹部５０ａ及び５０ｂの上下の高さ及び前後の長さは、物品８の上下の高さ及び前後の長さより僅かに大きい。
【０００５】
物品８を梱包するには、図５に示すように、先ず、物品８の右側面及び左側面を弾性体５の凹部５０ａ及び凹部５０ｂに嵌合させ、弾性体５を嵌合させた物品８を段ボール部２００の内部に収納する。次に、段ボール部２００の前後の内フラップ３２０ａ及び３２０ｂを内側に折り曲げた後、左右の外フラップ３１０ａ及び３１０ｂを内側に折り曲げる。次に、接着テープを外フラップ３１０ａ及び３１０ｂと段ボール部２００の前後側面とに亘って貼り付ける。
以上により、梱包部材１００は、物品８を梱包する。
【０００６】
このように、従来の梱包部材１００は、図５に示すように、物品８を保持した弾性体５ａ及び５ｂを物品８と共に段ボール部２００へ梱包することにより、搬送中に不注意で物品８を梱包した段ボール部２００を落下させてしまい、段ボール部２００の表面から大きな衝撃を受けた場合でも、弾性体５ａ及び５ｂがこの衝撃を吸収することにより、物品８に加わる衝撃を緩和する。よって、梱包部材１００は、外部からの衝撃に対して梱包した物品８を保護することができる。
【０００７】
【特許文献１】特開２００６−１４３３１７号公報
【発明の開示】
【発明が解決しようとする課題】
【０００８】
通常の場合、前述したような梱包部材１００に収納された物品８を購入した使用者は、梱包部材１００が不要となるため、梱包部材１００を廃棄処分することとなる。しかし、例えば、この物品８が電子機器製品である場合は、この物品８が万一、故障する事態が生じた場合、製造元や販社等にこの物品８を返送して製品の修理や交換を依頼する必要が生じる。このため、製造元や販社等にこの物品８を返送して製品の修理や交換を依頼する場合には、物品８を収納して搬送するための梱包部材が必要となるため、このような事態を想定して梱包部材１００を保管しておく必要がある。
【０００９】
しかしながら、従来の梱包部材１００を保管しておく場合、段ボール部２００は、折りたたむことで体積を小さくして保管することができるが、弾性体５は発泡スチロール材で成型されているため、体積を小さくすることができない。このため、梱包部材１００を保管する場合、この弾性体５を保管するためのスペースが必要となり、梱包部材１００の保管場所の確保が非常に困難な場合が多い。
【００１０】
従来の梱包部材を省スペースで保管する手段としては、梱包部材１００のうち段ボール部２００のみ残しておいて弾性体５を廃棄し、万一、製造元や販社等に物品８を搬送する必要等が生じた場合には、段ボール部２００に直接物品８を収納して搬送するようにすれば、弾性体５を保管しておく必要がないので梱包部材の保管場所を省スペースにすることができると考えられる。しかし、この場合は、物品８の表面と段ボール部２００の内壁との間に大きな隙間が生じるため、物品８を収納した段ボール部２００を搬送している最中に、段ボール部２００の外部から衝撃が加わると、この衝撃が段ボール部２００に収納した物品８に直接伝達されてしまい、物品８が破損してしまう虞がある。
【００１１】
本発明は、物品を梱包する梱包部材において、梱包部材を容易に保管することができると共に、万一、物品を搬送する必要がある場合でも物品が破損してしまうことを防止することができる梱包部材を提供することを目的とする。
【課題を解決するための手段】
【００１２】
本願の請求項１記載の発明は、物品を梱包する梱包部材において、段ボール板を折り曲げることによって直方体に形成された段ボール部と、直方体を形成し一側面に前記物品の側面と嵌合する凹部を有し前記物品の両側面に嵌合された状態で前記物品と共に前記段ボール部に収納される２つの弾性体とを備え、前記弾性体は、前記凹部の隅部分を含む四隅部分に水平方向及び垂直方向の直角を成す切り欠きを備えることを特徴とする。
【発明の効果】
【００１３】
本発明によれば、物品を梱包する梱包部材において、梱包部材を容易に保管することができると共に、万一、物品を搬送する必要がある場合でも物品が破損してしまうことを防止することができる梱包部材を提供することができる。
【発明を実施するための最良の形態】
【００１４】
本発明の実施例を図面を参照して説明する。
【００１５】
図１は、本発明の梱包部材の一実施例を示す斜視図である。
図１においては、矢印Ａ方向を梱包部材の前方とする。
本実施例の梱包部材１は、段ボール部２及び２つの弾性体５ａ及び５ｂを備える。
【００１６】
図１に示すように、段ボール部２は、段ボール板を折りたたみ組み立てることにより上面が開口した直方体の箱を形成し、直方体の前面、後面、右側面及び左側面（４側面）を形成する４つの側面板３ａ〜３ｄを備える。側面板３ａ及び側面板３ｃの上端辺には、それぞれの上端辺を軸に折り曲げることができる上面外フラップ３１ａ及び上面外フラップ３１ｂを備える。側面板３ｂ及び側面板３ｄの上端辺には、それぞれの上端辺を軸に折り曲げることができる上面内フラップ３２ａ及び上面内フラップ３２ｂを備える。上面外フラップ３１ａ及び上面外フラップ３１ｂは、双方を内側に略直角に折り曲げると、互いに当接又は近接し段ボール部２の上方への開口を塞ぐ。
【００１７】
また、段ボール部２は、側面板３ａ及び側面板３ｃの下端辺には、それぞれの下端辺を軸に折り曲げることができる底面外フラップ３３ａ及び３３ｂを備える。側面板３ｂ及び側面板３ｄの下端辺には、それぞれの下端辺を軸に折り曲げることができる底面内フラップ３４ａ及び３４ｂを備える。上面外フラップ３１ａ及び上面外フラップ３１ｂは、双方を内側に略直角に折り曲げると、互いに当接又は近接し段ボール部２の上方への開口を塞ぐ。
【００１８】
弾性体５ａ及び５ｂは、直方体を形成する発泡スチロール材から成り、一側面にそれぞれ凹部５０ａ及び５０ｂを備える。凹部５０ａ及び５０ｂの上下の高さ及び前後の長さは、物品８の上下の高さ及び前後の長さより僅かに大きい。弾性体５ａと弾性体５ｂは、左右対称の同一形状である。
【００１９】
物品８を梱包するには、図１に示すように、先ず、段ボール部２の前後の下端辺の底面内フラップ３４ａ及び３４ｂを内側に折り曲げた後、左右の下端辺の底面外フラップ３３ａ及び３３ｂを内側に折り曲げる。次に、接着テープを左右の底面外フラップ３３ａ及び３３ｂと段ボール部２の前後側面とに亘って貼り付ける。次に、物品８の右側面及び左側面を弾性体５の凹部５０ａ及び凹部５０ｂに嵌合させ、弾性体５を嵌合させた物品８を段ボール部２の内部に収納する。次に、段ボール部２の前後の内フラップ３２ａ及び３２ｂを内側に折り曲げた後、左右の外フラップ３１ａ及び３１ｂを内側に折り曲げる。次に、接着テープを左右の外フラップ３１ａ及び３１ｂと段ボール部２の前後側面とに亘って貼り付ける。
以上により、梱包部材１は、物品８を梱包することができる。
【００２０】
図２は、本実施例の弾性体５を示す図で、図２（ａ）は側面図、図２（ｂ）は図２（ａ）の下面図である。
図２（ａ）においては、矢印Ａ方向を弾性体５の前方とする。
図１で説明した弾性体５ａ及び５ｂは、それぞれ左右対称の同一形状であることから、図２においては、弾性体５ａ及び５ｂを弾性体５として説明し、また図１で示した凹部５０ａ及び５０ｂを凹部５０として説明する。
【００２１】
図２（ａ）及び図２（ｂ）に示すように、弾性体５は、前方の上方部分及び下方部分と後方の上方部分及び下方部分、つまり、弾性体５を側面から見て四隅となる位置にそれぞれ水平方向及び垂直方向の直角を成す切り欠き６ａ〜６ｄを備える。この切り欠き６ａ〜６ｄは、凹部５０の四隅がそれぞれ切り欠き６ａ〜６ｄより外側に含まれる位置に配設される。
【００２２】
図３は、本実施例の弾性体５を示す図で、図３（ａ）は切り欠き６ａ〜６ｄから弾性体５の四隅を切り離した状態を示す側面図、図３（ｂ）は図３（ａ）の下面図である。
図３（ａ）においては、矢印Ａ方向を弾性体５の前方とする。
【００２３】
弾性体５の四隅を把持した状態で、それぞれの四隅を外側方向に引っ張ると、図３（ａ）及び図３（ｂ）に示すように、この外側に引っ張る力によって切り欠き６ａ〜６ｄの部分を境として四隅がそれぞれ切り離され、この切り離された４つの四隅部分が新たにコーナー部材７ａ〜７ｄとして形成される。
【００２４】
図４は、図３に示すように弾性体５の四隅を切り離した後、物品８を梱包部材１に梱包する状態を示す斜視図である。
図４においては、矢印Ａ方向を梱包部材１の前方とする。
【００２５】
図３に示すように弾性体５の四隅を切り離した後、物品８を梱包部材１に梱包しようとする場合は、先ず、図３に示すように、弾性体５の四隅を切り離したことによって図１に示す弾性体５ａ及び５ｂのそれぞれについて形成された弾性体５ａ及び５ｂのそれぞれのコーナー部材７ａ〜７ｄを用意する。次に、このコーナー部材７ａ〜７ｄのそれぞれの凹部５０を物品８の右側面及び左側面のそれぞれの四隅部分に嵌合させ、コーナー部材７ａ〜７ｄを嵌合させた物品８を段ボール部２の内部に収納する。次に、段ボール部２の前後の内フラップ３２ａ、３２ｂを内側に折り曲げた後、左右の外フラップ３１ａ、３１ｂを内側に折り曲げる。次に、接着テープを左右の外フラップ３１ａ、３１ｂと段ボール部２の前後側面とに亘って貼り付ける。
以上により、梱包部材１は、図３に示すように弾性体５の四隅を切り離した後、物品８を梱包部材１に梱包することができる。
【００２６】
例えば、梱包部材１に梱包する物品８が電子機器製品である場合、この電子機器製品が万一、故障する事態が生じて製造元や販社等に物品８を搬送することを想定し、再度物品８を梱包して搬送できるように購入時に物品８が梱包されていた梱包部材１を保管しておく場合は、初めに、物品８及び弾性体５ａ及び５ｂを段ボール部２から取り出し、この取り出した弾性体５ａ及び５ｂのそれぞれの四隅を図３に示すように切り離してコーナー部材７ａ〜７ｄを形成させ、コーナー部材７ａ〜７ｄ以外の残りの弾性体５の部分を廃棄する。そして、このコーナー部材７ａ〜７ｄを段ボール部２と共に保管しておく。万一、物品８が故障してこの物品８を梱包して搬送する必要がある場合には、図４に示すように、保管しておいたコーナー部材７ａ〜７ｄを物品８の右側面及び左側面のそれぞれの四隅部分に嵌合させた状態とし、このコーナー部材７ａ〜７ｄと共に物品８を段ボール部２の内部に収納する。そして梱包部材１に梱包された物品８を搬送する。
【００２７】
以上の構成により、本実施例の梱包部材１は、物品８を購入した後でも再度物品８を搬送できるように梱包部材１を保管しておく必要がある場合、弾性体５の四隅を分離させてコーナー部材７ａ〜７ｄを形成させ、弾性体５のうち、この分離したコーナー部材７ａ〜７ｄの部材のみを保管しておくのみで、再度物品８を梱包し、搬送することができるので、梱包部材１を保管するための保管場所を省スペースにすることができる。
【００２８】
そして、本実施例の梱包部材１は、梱包部材１から取り出した物品８を再度梱包する場合でも、保管しておいたコーナー部材７ａ〜７ｄを物品８の右側面及び左側面のそれぞれの四隅部分に嵌合させた状態で物品８を段ボール部２の内部に収納することにより、再度物品８を梱包した梱包部材１を搬送している最中に外部から衝撃が加わった場合でも、コーナー部材７ａ〜７ｄがこの衝撃を吸収することにより、物品８に加わる衝撃を緩和することができるので、外部からの衝撃が収納した物品８に直接伝達されてしまい、物品８が破損してしまうことを防止することができる。
【図面の簡単な説明】
【００２９】
【図１】本発明の梱包部材の一実施例を示す斜視図。
【図２】本実施例の弾性体５を示す図で、図２（ａ）は側面図、図２（ｂ）は図２（ａ）の下面図。
【図３】本実施例の弾性体５を示す図で、図３（ａ）は切り欠き６ａ〜６ｄから弾性体５の四隅を切り離した状態を示す側面図、図３（ｂ）は図３（ａ）の下面図。
【図４】図３に示すように弾性体５の四隅を切り離した後、物品８を梱包部材１に梱包する状態を示す斜視図。
【図５】従来の梱包部材と梱包される物品の一例を示す斜視図。
【符号の説明】
【００３０】
１  梱包部材、２  段ボール部、３  側面板、
３１  上面外フラップ、３２  上面内フラップ、３３  底面外フラップ、
３４  底面内フラップ、５  弾性体、５０  凹部、
６  切り欠き、７  コーナー部材、８  物品、
１００  梱包部材、２００  段ボール部、３００  側面板、
３１０  外フラップ、３２０  内フラップ
【図１】
2008254744.tif 000003
【図２】
2008254744.tif 000004
【図３】
2008254744.tif 000005
【図４】
2008254744.tif 000006
【図５】
2008254744.tif 000007